(57)【要約】【課題】  ワイヤハーネス等の長尺部材の中心を取付部の軸心に合わせることができる、長尺部材用クランプを提供する。【解決手段】  クランプ１は、バンド３と、支持面１８を形成して、長尺部材を支持面に載置して巻回状態を保持するバックル部５と、バックル部５から延びて、ボデーパネル等へ取付けるクリップ６とを備え、バックル部５はバンドラチェット歯１７に係合する係止爪１５と、バンド３を案内する挿通路１９を形成してバンド３を挿通路１９に拘束する第１ガイド２５及び第２ガイド２６とを備え、第２ガイド２６は、出口部を含む挿通路の後半部分３０を支持面１８とほぼ平行にする形状に形成され、第１ガイド２５は、入口部を含む挿通路１９の前半部分３１を挿通路後半部分３０に対して鋭角の傾斜角度２９で連結する形状に形成されている。【選択図】          図５
2006174613.tif 000002
【特許請求の範囲】
【請求項１】
ワイヤハーネスや電線等の長尺部材の外周面を巻回して保持するバンドと、該バンドの根元部分に隣接して前記長尺部材を載置する支持面を形成し、前記バンドで巻回した長尺部材を前記支持面に載置し且つそのバンドの巻回状態を保持するバックル部と、該バックル部に連結されて、該バックル部の前記支持面上の長尺部材とは反対の側に延び、ボデーパネル等の被取付部材に取付ける取付部とを備え、前記バンドは長手方向に間隔をおいて形成された係止部を有し、前記バックル部は、前記係止部に係合してバンドを巻回した状態に保つ係止爪を有し、前記バックル部は、前記バンドを前記係止部が前記係止爪に係合するように案内する挿通路を形成し且つ該バンドを挿通路に拘束するガイド部を備え、前記挿通路は、前記バンド根元部分と反対側のバンドの入口部から前記バンド根元部分に隣接するバンドの出口部まで延びている、長尺部材用クランプであって、
前記ガイド部は、前記出口部を含む挿通路の後半部分を前記支持面とほぼ平行にする形状に形成され、且つ、前記入口部を含む挿通路の前半部分を前記挿通路後半部分に対して鋭角の傾斜角度で連結する形状に形成されていることを特徴とする長尺部材用クランプ。
【請求項２】
請求項１に記載のクランプにおいて、前記係止爪は前記挿通路の幅方向の中央に位置しており、前記ガイド部は、前記挿通路前半部分において該挿通路の幅方向の中央位置にあって前記係止爪が連結されるように延びる第１ガイドと、前記係止爪が前記バンドの係止部に係合するのを邪魔しないように前記バンド挿通路の側縁に対応する位置に、前記挿通路の高さを定めるように前記第１ガイドから高さ方向に離れて形成された第２ガイドとを包含し、前記第１ガイドと前記第２ガイドとが、前記入口部を含む前記挿通路前半部分を形成していることを特徴とするクランプ。
【請求項３】
請求項２に記載のクランプにおいて、前記係止爪及び前記第１ガイドが、前記支持面から遠い側の挿通路面にあり、前記第２ガイドが前記支持面に近い側の挿通路面にあることを特徴とするクランプ。
【請求項４】
請求項２に記載のクランプにおいて、前記係止爪及び前記第１ガイドが、前記支持面に近い側の挿通路面にあり、前記第２ガイドが前記支持面から遠い側の挿通路面を形成することを特徴とするクランプ。
【請求項５】
請求項１〜４のいずれか１項に記載のクランプにおいて、前記係止爪は前記挿通路後半部分にあり、該係止爪の先端は、前記出口部より外方に延び出た係合解除片として形成されていることを特徴とするクランプ。
【請求項６】
請求項１〜５のいずれか１項に記載のクランプにおいて、前記取付部は、前記バックル部から延びる軸部と該軸部の端部から前記バックル部に折返して前記被取付部材の取付穴に係止する錨脚とを有し、前記軸部の軸心の延長上に前記バンド挿通路の前半部分と後半部分との境界があることを特徴とするクランプ。
【発明の詳細な説明】
【技術分野】
【０００１】
本発明は、ワイヤハーネスや電線等の長尺部材を自動車のボデーパネル等の被取付部材に取付けるための長尺部材用クランプに関する。
【背景技術】
【０００２】
ワイヤハーネスや電線等の長尺部材をパネル等に取付ける長尺部材用クランプは知られている。長尺部材用クランプにおいて、長尺部材の外径の大小によってバックル部の支持面への位置が変化すると、保持した長尺部材が他の部材等に接触したりするので好ましくない。特に、バックル部の支持面の幅より大径の長尺部材を載置する場合、バンドの巻回によってバックル部のバンド入口部側に長尺部材が倒れ込んでしまい、長尺部材の中心が被取付部材の取付穴からずれてしまい、被取付部材の周囲の他の部材に干渉したりして好ましくない。また、位置ずれが生じると大径のワイヤハーネスに遮られて取付部が見えなくなってしまうので取付部先端を被取付部材の取付穴に挿入するのが困難になる。現在、長尺部材の外径の大小によってもバックル部の支持面への位置が変化しないように工夫した長尺部材用クランプがいくつか知られている。
【０００３】
特開平７−２１２９４３号公報（特許文献１）には、ワイヤハーネスの外周面を巻回して保持するバンドと、バンドの根元部分に隣接してワイヤハーネスを載置する支持面を形成し、バンドで巻回したワイヤハーネスを支持面に載置してバンドの巻回状態を保持するバックル部と、バックル部に連結されて、バックル部の支持面上の長尺部材とは反対の側に延び、ボデーパネル等の被取付部材に取付ける取付部とを備えたワイヤハーネス用クランプが開示されている。特許文献１のクランプは、取付部の軸心と巻回したワイヤハーネスの中心線とがずれるのを防止するため、バックル部の支持面に、取付部の軸心とワイヤハーネスの中心線とを一致させる凹部を形成し、位置ずれを生ずるおそれのある大径のワイヤハーネスであっても、取付部の軸心にワイヤハーネスの中心を合わせ、ワイヤハーネスの取付時の配置ずれを防止している。
【０００４】
特開平８−０９３７２８号公報（特許文献２）には、長尺部材の外径の大小にかかわらず、クランプ時の長尺部材の位置ずれを低減する長尺部材のクランプが開示されている。特許文献２のクランプでは、バンドの挿通路がバックル部の支持面から取付部の軸心に延びその取付部を軸方向に貫通して形成されている。バンド挿通路が取付部の軸心を軸方向に貫通して延びているので、バンドで巻回されて支持面に保持される長尺部材の中心は、長尺部材の外径の大小にかかわらずほぼ一定に維持される。
【０００５】
特開２００３−０２８１１１号公報（特許文献３）は、バックル部が、バンドの係止部にバックル部の係止爪が係合するように案内する挿通路を形成するガイド部を備え、挿通路は、バンド根元部分と反対側のバンドの入口部からバンド根元部分に隣接するバンドの出口部まで延びているワイヤハーネス用クランプを開示している。特許文献３のクランプでは、バックル部には挿通路の入口部に隣接する支持面に上方に突出する支持突部が設けられ、バンドの根元部分にはワイヤハーネスを外周面を押圧する突起が設けられ、小径のワイヤハーネスでも大径のワイヤハーネスでもその中心を取付部の軸心に合わせるようにしている。
【０００６】
【特許文献１】特開平７−２１２９４３号公報
【特許文献２】特開平８−０９３７２８号公報
【特許文献３】特開２００３−０２８１１１号公報
【発明の開示】
【発明が解決しようとする課題】
【０００７】
特許文献１のクランプは、バックル部の支持面の凹部にワイヤハーネスが載置されている場合にはワイヤハーネスの取付時の配置ずれを防止できるが、バックル部にバンドを拘束する挿通路が形成されていないため、バンドとワイヤハーネスとがバックル部の支持面から離れるおそれがあり、ワイヤハーネスの位置が固定しないおそれがある。特許文献２のクランプは、バンドが取付部を軸心方向に貫通して引き出されるので、バンドの引出し操作又はバンドの取外し操作は、バックル部と反対側の被取付部材の面に手を差し入れる必要があり、操作性の点で好ましくない。特許文献３のクランプは、バックル部にバンドを拘束する挿通路が形成されるので取付け後のワイヤハーネスはバックル部の支持面から外れることはなく、また、被取付部材バンドの引出しや取外しは、被取付部材のバックル部の側で行うことができる。しかし、特許文献３のクランプは、バックル部の支持面に特定の突部を形成することを必要としている。
【０００８】
従って、本発明の目的は、バンドをバックル部の挿通路に拘束し且つ被取付部材のバックル部側でバンドの引出しや取外し操作を可能にしつつ、バックル部の支持面に特殊な形状を必要としない、ワイヤハーネス等の長尺部材の中心を取付部の軸心に合わせることができる、長尺部材用クランプを提供することにある。
【課題を解決するための手段】
【０００９】
かかる目的を達成するため、本発明の長尺部材用クランプは、ワイヤハーネスや電線等の長尺部材の外周面を巻回して保持するバンドと、バンドの根元部分に隣接して長尺部材を載置する支持面を形成し、バンドで巻回した長尺部材を支持面に載置し且つそのバンドの巻回状態を保持するバックル部と、バックル部に連結されて、バックル部の支持面上の長尺部材とは反対の側に延び、ボデーパネル等の被取付部材に取付ける取付部とを備え、バンドは長手方向に間隔をおいて形成された係止部を有し、バックル部は係止部に係合してバンドを巻回した状態に保つ係止爪を有し、バックル部は、バンドを係止部が係止爪に係合するように案内する挿通路を形成し且つバンドを挿通路に拘束するガイド部を備え、挿通路は、バンド根元部分と反対側のバンドの入口部からバンド根元部分に隣接するバンドの出口部まで延びている。本発明の長尺部材用クランプでは、ガイド部が、出口部を含む挿通路の後半部分を支持面とほぼ平行にする形状に形成され、且つ、入口部を含む挿通路の前半部分を挿通路後半部分に対して鋭角の傾斜角度で連結する形状に形成されていることを特徴とする。
【００１０】
上記の長尺部材用クランプは、バンドをバックル部の挿通路に拘束し且つ被取付部材のバックル部側でバンドの引出しや取外し操作を可能にしつつ、バックル部の支持面に特殊な形状を必要とせずに、挿通路を形成するガイド部が、出口部を含む挿通路の後半部分を支持面とほぼ平行にする形状に形成され、入口部を含む挿通路の前半部分を挿通路後半部分に対して鋭角の傾斜角度で連結する形状に形成されているので、長尺部材がバンドの巻回時に入口部側へ倒れ込むのを防止でき、ワイヤハーネス等の長尺部材の外径が違っていても、長尺部材がバックル部上で位置ずれするのを阻止して、例えば、長尺部材の中心を取付部の軸心に合わせたままに維持することができる。
【００１１】
上記クランプにおいて、係止爪は挿通路の幅方向の中央に位置しており、ガイド部は、挿通路前半部分において挿通路の幅方向の中央位置にあって係止爪が連結されるように延びる第１ガイドと、係止爪がバンドの係止部に係合するのを邪魔しないようにバンド挿通路の側縁に対応する位置に、挿通路の高さを定めるように第１ガイドから高さ方向に離れて形成された第２ガイドとを包含し、第１ガイドと第２ガイドとによって、入口部を含む挿通路前半部分を形成する。
【００１２】
また、係止爪及び第１ガイドが、支持面から遠い側の挿通路面にあり、第２ガイドが支持面に近い側の挿通路面にあるようにできる。これとは別に、係止爪及び第１ガイドが、支持面に近い側の挿通路面にあり、第２ガイドが支持面から遠い側の挿通路面を形成するようにもできる。更に、係止爪は挿通路後半部分にあり、係止爪の先端は、出口部より外方に延び出た係合解除片として形成することができる。そして、取付部は、バックル部から延びる軸部と該軸部の端部からバックル部に折返して被取付部材の取付穴に係止する錨脚とを有し、軸部の軸心の延長上に前記バンド挿通路の前半部分と後半部分との境界にすることができる。
【発明を実施するための最良の形態】
【００１３】
以下、本発明の実施例について図面を参照しながら説明する。図１〜図５は、本発明の第１実施形態に係る電線やワイヤハーネス等の長尺部材用のクランプ１を示している。図６は、図１〜図５のクランプ１にワイヤハーネスや電線等の断面円形の長尺部材２を保持した様子を示す。クランプ１は、硬質のプラスチック材料で成る一体成形品である。図１〜図５において、クランプ１は、電線やワイヤハーネス等の円形断面の長尺部材２をボデーパネル等の被取付部材に取付けるため、長尺部材２の外周面を巻回して保持する。クランプ１は、バンド３と、バンド３の根元部分に隣接して長尺部材２を載置する支持面１８を形成し、バンド３で巻回した長尺部材２を支持面１８に載置し且つそのバンド３の巻回状態を保持するバックル部５と、バックル部５に連結されて、バックル部５の支持面１８上の長尺部材２とは反対の側に延び、ボデーパネル等の被取付部材に取付けるための取付部である錨脚形状のクリップ６とを備えている。
【００１４】
錨脚形状のクリップ６は、バックル部５から下方に延びる軸部７と、軸部７の下端からバックル部５に向けて外方に拡がるように傾斜して延びる一対の脚９と、軸部７及び脚９の上方で且つバックル部５の下方に設けられたフランジ１０とを有する。各脚９は、軸部７の側に弾発的に撓む可撓性を有する。各脚９の上端には、被取付部材の板厚の違いに対応できるように、複数の係止肩１１が形成されている。軸部７及び脚９をボデーパネル等の被取付部材の取付穴に挿入することによって、被取付部材の板厚に合わせて脚９の係止肩１１のいずれかが取付穴縁部に係合し、他方、フランジ１０が被取付部材の上面に接面しているのでクランプ１が被取付部材に取付けられる。フランジ１０は、吸盤形状に形成されて、取付穴へクリップ６が取付けられたとき取付穴を塞ぐシール機能が与えられ、取付後の固定力を増す弾発力が与えられている。なお、図示の実施例では、被取付部材への取付部は、錨脚形状のクリップ６が用いられているが、これに限るものではなく、バックル部５から垂下するように形成されたものであればよい。例えば、他の取付部としては、ボデーパネルに立設された棒状スタッド（ねじスタッドや周溝スタッド等）に係合する、バックル部５から下方に延びるスタッド係止部がある。
【００１５】
バンド３は、バックル部５の一方の側を根元部分として、種々の直径の電線やワイヤハーネス等の長尺部材を巻回保持できるように、細長く延びている。バンド３の根元部１３は他の部分より広く且つ薄く形成されて、小径の長尺部材を巻回するのにバンドがより撓み易くなって小径の長尺部材に適するようになっている。また、根元部１３には、長尺部材に接面する面に長手方向に延びるリブ１４が設けられ、根元部１３の強度を高くするとともに、巻回して保持した長尺部材の長手方向の移動を阻止する。更に、バンド３には、リブ１４から先端方向に向けて多数の突起１４ａが一定間隔で設けられ、巻回保持した長尺部材の長手方向の移動を阻止する。そして、バンド３には、バックル部５の係止爪１５に係止してバンド３の巻回状態を維持する係止部として、多数のラチェット歯１７が、バンド３の長手方向に一定の間隔（ピッチ）をもって形成されている。図示の第１実施形態のクランプ１では、係止爪１５は、バックル部５の支持面１８から遠い側の挿通路面に位置しているので、ラチェット歯１７は、バックル部５の挿通路１９（後述）を通ったバンド３が係止爪１５に対面する側の面（突起１４ａと反対の面）に形成されている。なお、バンド３の先端にはバックル部５の挿通路１９に通すのを容易にし挿通路から出たバンド３の引出しを容易にするリーダ部２１が形成されている。
【００１６】
バックル部５は、バンド３の係止部であるラチェット歯１７に係合して、バンド３を長尺部材の巻回状態に保持する係止爪１５を有する。また、バックル部５は、バンド３をラチェット歯１７が係止爪１５に係合するように案内し且つバンド３をその中に拘束する挿通路１９を形成するガイド部を有する。挿通路１９は、バンド３の根元部１３とは反対側のバンド３の入口部２２からバンド根元部１３に隣接するバンド３の出口部２３まで延びている。この挿通路１９を形成する前記のガイド部は、第１ガイド２５と第２ガイド２６とから成る。第１ガイド２５は、挿通路１９の幅方向の中央に位置して挿通路１９の長さ方向に延びて挿通路１９の底面を形成する。第２ガイド２６は、挿通路１９の長さ方向に延びて、挿通路の両側の側壁とその側壁に隣接する上部とを形成する形状で、一対設けられている。第１ガイド２５と第２ガイド２６で形成されるガイド部は、出口部２３を含む挿通路１９の後半部分３０（図５参照）を支持面１８とほぼ平行に形成し、入口部２２を含む挿通路１９の前半部分３１（図５）を挿通路後半部分３０に対して鋭角の傾斜角度で連結する。詳細には、第１ガイド２５は、挿通路１９の幅方向の中央位置にあって、挿通路前半部分３１において挿入されるバンド３を挿通路後半部分３０に対して鋭角の傾斜角度で進入するように形成されている。本書に用いる用語「傾斜角度」は、図５に示す角度２９を指している。傾斜角度２９は、長尺部材２がバンド３で巻回されてバックル部５の支持面１８に密着させられた時にその長尺部材が入口部２２の側へ倒れ込むのを防止できれば、任意の鋭角に設定できる。これによって、ワイヤハーネス等の長尺部材の外径が違っていても、長尺部材がバックル部上で位置ずれするのを阻止して、例えば、円形断面の長尺部材の中心を取付部の軸心に合わせたままに維持することができる。また、第２ガイド２６の入口部２２の部分は、その傾斜角度を維持する形状に形成されている。
【００１７】
第１ガイド２５は挿通路前半部分３１の底面を形成しており、バンド３の滑らかな挿入のために、所定の傾斜角度２９を維持し、挿通路１９の後半部分３０につながる部分では湾曲して滑らかに連続する面を成すように形成されている。更に、第１ガイド２５の先端からは、係止爪１５が、弾性を有する片持ち支持アームとなって、挿通路後半部分３０を支持面１８と平行に延びて、挿通路後半部分３０の底面を形成している。係止爪１５の先端は、挿通路１９の出口部２３から外方に延び出て、係合解除片３３となっている。係合解除片３３は、ねじ回し（スクリュードライバ）等の工具先端を引っ掛けて下面側に下げると、係止爪１５とラチェット歯１７との係合を解除できる。係合解除片３３を更に延長させれば、指等でも係合の解除操作を行える。
【００１８】
一対の第２ガイド２６の各々は、挿通路１９の両側の側縁を定める側壁と上縁部を定める上壁とを有する。第２ガイド２６で形成される挿通路１９は、係止爪１５がバンド３のラチェット歯１７（係止部）に係合するのを邪魔しないように、上面の殆どが開放され、挿通路１９の両側縁に対応する位置の上面部分だけを形成する形状に形成されている。また、第２ガイド２６の上面の高さは、第１ガイド２５の表面及び係止爪１５の表面から挿通路１９の高さを定める高さに定められる。更に、第２ガイド２６は、入口部２２に隣接する部分において、第１ガイド２５と同様に、バンド３の滑らかな挿入のために、所定の傾斜角度を維持しつつ湾曲面を成すように形成されている。このようにして、挿通路１９の前半部分３１は、傾斜角度２９で傾斜するように、第１ガイド２５と第２ガイド２６で形成され、後半部分３０は、係止爪１５と第２ガイド２６とで支持面１８に平行に形成される。そして、挿通路１９は挿通されたバンド部分を挿通路１９内に拘束するので、バンド３で巻回保持した長尺部材２を支持面１８に密接させる。なお、図示のクランプ１において、挿通路前半部分３１と挿通路後半部分３０の境界は、クリップ６の軸部７の軸心を通る線上に設けられている。
【００１９】
バックル部５の上部には、バンド３で巻回保持した長尺部材２を載置する支持面１８が設けられている。図示のクランプ１では、支持面１８は、第２ガイド２６の上部が支持面として形成されている。支持面１８は、バンド３で巻回保持した長尺部材２を載置できるかぎり任意の形状でよい。
【００２０】
図６には、クランプ１に電線やワイヤハーネス等の円形断面を有する長尺部材２を取付けた様子が示されている。バンド３は、バックル部５の挿通路１９を通って、係止爪１５にバンド３のラチェット歯１７が係合して、巻回状態が保持される。上記のように、バンド３はバックル部５の挿通路１９の中に拘束されるので、長尺部材２はバックル部５の支持面１８に密着させられる。バンド３は、挿通路１９の前半部分３１で傾斜角度２９で挿入され後半部分３０で係止爪１５と平行に引き出される。バンド３は入口部側で一定の傾斜角度２９で挿入されるので、長尺部材２がバックル部５の支持面１８に密着させられた時、長尺部材が入口部２２の側へ倒れ込むのを阻止できる。従って、電線やワイヤハーネス等の長尺部材の外径が違っていても、長尺部材２がバックル部５上で位置ずれするのが阻止できる。特に、電線やワイヤハーネス等の円形断面の長尺部材の中心をバックル部５の支持面１８の中心に配置されるように設定し、クリップ６（取付部）の軸心を支持面１８の中心に合わせるように設定することによって、長尺部材２の中心３４がクリップ６の軸部７の軸線３５に合うようになる。例えば、挿通路前半部分３１と挿通路後半部分３０の境界をクリップ６の軸部７の軸心を通る線上に設けることによって、長尺部材の中心と取付部の軸心を合わせるのが容易にできる。
【００２１】
上記のように、電線やワイヤハーネス等の長尺部材２の外径が違っていても、長尺部材２がバックル部５上で位置ずれするのが阻止できるので、ボデーパネル等の被取付部材の周囲にある他の部材に、長尺部材２が干渉したりすることがなくなり、また、大径のワイヤハーネス等の長尺部材２で作業者にはクリップ６（取付部）が見えない状態でも、長尺部材２の中心をクリップ６の軸部７の軸心として取扱うことができ、クリップ６を被取付部材の取付穴に取付ける作業が容易にできる。
【００２２】
図７〜図１１には、本発明の第２実施形態に係る長尺部材用クランプ３７が示されている。クランプ３７は、基本的には、第１実施形態のクリップ１と同様であり、バンド３Ａと、バックル部５Ａと、取付部であるクリップ６Ａとから成り、硬質プラスチックの一体成形品で成る。違っているのは、クランプ１では、バックル部係止爪１５及び第１ガイド２５が、支持面１８から遠い側の挿通路面にあり、第２ガイド２６が支持面１８に近い側の挿通路面にあるのに対して、クランプ３７では、係止爪３８及び第１ガイド３９が、支持面１８Ａに近い側の挿通路面にあり、第２ガイド４１が支持面１８Ａから遠い側の挿通路面を形成することである。この違いに伴なって、クランプ３７では、バンド３Ａの係止部であるラチェット歯４２が、長尺部材の巻回のとき長尺部材に対面する側に形成され、そのラチェット歯４２の両側の側縁に、クランプ１の突起１４ａに代えて、バンド３Ａの長さ方向に長く延びるリブ４３が形成されている。また、クランプ３７の第１ガイド３９及び第２ガイド４１の形状も、クランプ１の第１ガイド２５及び第２ガイド２６とは異なる。クランプ１との他の相違点は、クランプ３７の取付部であるクリップ６Ａの形状が、クリップ６とやや異なっている。
【００２３】
以下、図７〜図１１を参照して、長尺部材用クランプ３７について説明する。第１実施形態のクランプ１の構成要素と同じ部分については説明を簡略にしあるいは省略する。かかる部分については、第１実施形態のクランプ１の該当部分の説明を参照されたい。
【００２４】
クランプ３７の錨脚形状のクリップ６Ａは、バックル部５Ａから下方に延びる軸部４５と、軸部４５の下端からバックル部５Ａに向けて外方に拡がるように傾斜して延びる一対の脚４６と、軸部４５及び脚４６の上方で且つバックル部５Ａの下方に設けられたフランジ４７とを有する。各脚４６の上端には、被取付部材の板厚の違いに対応できるように、複数の係止肩４８が形成されている。
【００２５】
クランプ３７のバンド３Ａは、バックル部５Ａの一方の側を根元部分として、種々の直径の電線やワイヤハーネス等の長尺部材を巻回保持できるように、細長く延びている。バンド３の根元部４９は他の部分より広く且つ薄く形成され、根元部４９には、一対のリブ５０が設けられ、根元部４９の強度を高くするとともに、巻回して保持した長尺部材の長手方向の移動を阻止する。既述のように、バンド３Ａの両側縁部には、リブ４３が設けられ、巻回保持した長尺部材の長手方向の移動を阻止する。また、バンド３Ａには、バックル部５Ａの係止爪３８に係止してバンド３Ａの巻回状態を維持する係止部として、多数のラチェット歯４２が、バンド３の長手方向に一定の間隔（ピッチ）をもって形成されている。第２実施形態のクランプ３７では、係止爪３８は、バックル部５Ａの支持面１８Ａに近い側の挿通路面に位置しているので、ラチェット歯４２は、巻回する長尺部材と対面する側の面に形成されている。
【００２６】
クランプ３７のバックル部５Ａは、バンド３Ａの係止部であるラチェット歯４２に係合して、バンド３Ａを長尺部材の巻回状態に保持する係止爪３８を有する。また、バックル部５Ａは、第１ガイド３９と第２ガイド４１から成るガイド部を包含し、バンド３Ａをラチェット歯４２が係止爪３８に係合するように案内し且つバンド３Ａをその中に拘束する挿通路５１を形成する。第１ガイド３９は、挿通路５１の幅方向の中央に位置して挿通路５１の長さ方向に延びて挿通路５１の上面を形成する。第２ガイド４１は、挿通路５１の長さ方向に延びて、挿通路５１の両側の側壁と側壁に隣接する上部とを形成するように一対設けられている。第１ガイド３９と第２ガイド４１とから成るガイド部は、挿通路出口部５２を含む挿通路５１の後半部分５４（図１０参照）を支持面１８Ａとほぼ平行に形成し、入口部５３を含む挿通路５１の前半部分５５（図１０）を挿通路後半部分５４に対して鋭角の傾斜角度２９で連結する。傾斜角度２９は、長尺部材がバンド３Ａで巻回されてバックル部５Ａの支持面１８Ａに密着させられた時にその長尺部材が入口部５３の側へ倒れ込むのを防止できる、任意の鋭角に設定される。これによって、ワイヤハーネス等の長尺部材の外径が違っていても、長尺部材がバックル部上で位置ずれするのを阻止して、例えば、円形断面の長尺部材の中心を取付部の軸心に合わせたままに維持できる。
【００２７】
第１ガイド３９は挿通路前半部分５５の上面を形成し、バンド３Ａの滑らかな挿入のために、所定の傾斜角度２９を形成するように形成され、第１ガイド３９の先端から、係止爪３８が、弾性を有する片持ち支持アームとなって、挿通路後半部分５４を支持面１８Ａと平行に延びて、挿通路後半部分５４の上面を形成している。係止爪３８の先端は、係合解除片３３Ａとなっている。なお、クランプ３７では、バックル部５Ａの支持面１８Ａは第１ガイド３９の上面に形成されている。
【００２８】
第２ガイド４１は、挿通路５１の長さ全体にわたって両側の側縁を定めるように延びる側壁と、挿通路５１の長さ全体にわたって底面を定めるように延びる底部とを有する。第２ガイド５１の底部は、図１０に示すように、フランジ４７の上面と同じ面に挿通路５１の底面を形成している。しかし、第２ガイド４１は、挿通路入口部５３に隣接する部分において、バンド３Ａの滑らかな挿入のために、傾斜角度２９を維持する傾斜面を成すように形成されている。クランプ３７では、挿通路５１の前半部分５５は、傾斜角度２９で傾斜するように、第１ガイド３９と第２ガイド４１とで形成され、後半部分５４は、係止爪３８と第２ガイド４１とで支持面１８Ａに平行に形成される。そして、挿通路５１は挿通されたバンド部分を挿通路５１内に拘束するので、バンド３Ａで巻回保持した長尺部材を支持面１８Ａに密接させる。クランプ３７においても、挿通路前半部分５５と挿通路後半部分５４の境界は、クリップ６Ａの軸部４５の軸心を通る線上に設けられている。
【００２９】
図１１には、クランプ３７に電線やワイヤハーネス等の円形断面を有する長尺部材２を取付けた様子が示されている。バンド３Ａは、バックル部５Ａの挿通路５１を通って、係止爪３８にバンド３Ａのラチェット歯４２が係合して巻回状態に保持される。バンド３Ａは挿通路５１の中に拘束されるので、長尺部材２はバックル部５Ａの支持面１８Ａに密着させられる。バンド３Ａは、挿通路５１の前半部分５５で傾斜角度２９で挿入され後半部分５４で係止爪３８と平行に引き出される。バンド３Ａは入口部側で一定の傾斜角度２９で挿入されるので、長尺部材２がバックル部５Ａの支持面１８Ａに密着させられた時、長尺部材が入口部５３の側へ倒れ込むのを阻止でき、長尺部材２の外径が違っていても、長尺部材２がバックル部５Ａ上で位置ずれするのが阻止できる。特に、電線やワイヤハーネス等の円形断面の長尺部材の中心をバックル部５Ａの支持面１８Ａの中心に配置されるように設定し、クリップ６（取付部）の軸心を支持面１８の中心に合わせるように設定することによって、長尺部材２の中心３４がクリップ６Ａの軸部４５の軸線３５に合うようになる。
【００３０】
上記のように、電線やワイヤハーネス等の長尺部材２の外径が違っていても、長尺部材２がバックル部５Ａ上で位置ずれするのが阻止できるので、ボデーパネル等の被取付部材の周囲にある他の部材に、長尺部材２が干渉したりすることがなくなり、また、大径のワイヤハーネス等の長尺部材２Ａで作業者にはクリップ６Ａが見えない状態でも、長尺部材２の中心をクリップ６Ａの軸部４５の軸心として取扱うことができ、クリップ６Ａを被取付部材の取付穴に取付ける作業が容易にできる。
【図面の簡単な説明】
【００３１】
【図１】本発明の第１実施形態に係る長尺部材用クランプの、バンドの一部を切断して示す斜視図である。
【図２】図１のクランプの左側面図である。
【図３】図１のクランプの正面図である。
【図４】図１のクランプの平面図である。
【図５】図２のクランプのＶ−Ｖ線断面図である。
【図６】図１のクランプに長尺部材を保持した状態を示す断面図である。
【図７】本発明の第２実施形態に係る長尺部材用クランプの、バンドの一部を切断して示す側面図である。
【図８】図７のクランプの正面図である。
【図９】図７のクランプの底面図である。
【図１０】図７のクランプのＸ−Ｘ線に沿って断面した部分図である。
【図１１】図７のクランプに長尺部材を保持した状態を示す断面図である。
【符号の説明】
【００３２】
１  長尺部材用クランプ
２  長尺部材
３：３Ａ  バンド
５：５Ａ  バックル部
６：６Ａ  クリップ（取付部）
７  軸部
９  脚
１０  フランジ
１１  係止肩
１３  根元部
１４  リブ
１４ａ  突起
１５  係止爪
１７  ラチェット歯（係止部）
１８：１８Ａ  支持面
１９  挿通路
２１  リーダ部
２２  入口部
２３  出口部
２５  第１ガイド
２６  第２ガイド
２９  傾斜角度
３０  挿通路の後半部分
３１  挿通路の前半部分
３３  係合解除片
３４  長尺部材の中心
３５  軸部の軸線
３７  第２実施形態の長尺部材用クランプ
３８  係止爪
３９  第１ガイド
４１  第２ガイド
４２  ラチェット歯（係止部）
４３  リブ
４５  軸部
４６  脚
４７  フランジ
４８  係止肩
４９  根元部
５０  リブ
５２  出口部
５３  入口部
５４  挿通路の後半部分
５５  挿通路の前半部分
【図１】
2006174613.tif 000003
【図２】
2006174613.tif 000004
【図３】
2006174613.tif 000005
【図４】
2006174613.tif 000006
【図５】
2006174613.tif 000007
【図６】
2006174613.tif 000008
【図７】
2006174613.tif 000009
【図８】
2006174613.tif 000010
【図９】
2006174613.tif 000011
【図１０】
2006174613.tif 000012
【図１１】
2006174613.tif 000013